(57)【要約】    【課題】  本発明は、安定感を高めて枕の高さの変化が極端に低くくならないように構成することにより、使用中でも寝心地の良さが維持できる枕を提供することにある。    【解決手段】  本発明に係る枕Ａは、枕内部の充填材１１を収納した中袋１０上面と枕表皮２０との間に介在する支持体３０を備え、該支持体３０を、枕Ａのやや下方側の位置に配し、支持体３０内に充填物３１を収納し、支持体３０を縦中央の縦線ａと該縦線ａに直交する横線ｂとにより４区画ｐ、ｑ、ｒ、ｓに分割し、各区画内に充填物３１を収納し、枕内部の中袋１０を区画して該中袋内に充填材１１を収納し、中袋１０を、枕下部に位置する横長の頸椎載置用中袋部１５と頸椎載置用中袋部１５の上方に位置する頭部載置用中袋部１６とから構成し、頭部載置用中袋部１６を中央部１７と左右両側部１８の３区画に分割したものである。【選択図】        図１
2005137598.tif 000002
【特許請求の範囲】
【請求項１】
枕内部の充填材と枕表皮との間に介在する１又は複数の支持体を備え、
該支持体内に充填物を収納してなることを特徴とする枕。
【請求項２】
１又は複数の支持体のいずれか又は全てを縦線により複数の区画に分割し、各区画内に充填物を収納してなることを特徴とする請求項１に記載の枕。
【請求項３】
１又は複数の支持体のいずれか又は全てを横線により複数の区画に分割し、各区画内に充填物を収納してなることを特徴とする請求項１又は２に記載の枕。
【請求項４】
１又は複数の支持体のいずれか又は全てを縦線と該縦線に直交する横線とにより複数の区画に分割し、各区画内に充填物を収納してなることを特徴とする請求項１〜３のいずれか１項に記載の枕。
【請求項５】
枕内部に、複数の中袋を収納し、該中袋内に充填材を収納したことを特徴とする請求項１〜４のいずれか１項に記載の枕。
【請求項６】
枕内部に、区画された中袋を収納し、該中袋内に充填材を収納したことを特徴とする請求項１〜５のいずれか１項に記載の枕。
【請求項７】
中袋を、枕下部に位置する横長の頸椎載置用中袋部と、頸椎載置用中袋部の上方に位置する頭部載置用中袋部とから構成したことを特徴とする請求項５又は６に記載の枕。
【請求項８】
頭部載置用中袋部を複数に区画したことを特徴とする請求項７に記載の枕。
【請求項９】
枕内部の充填材の量を調節するための計量カップを付加したことを特徴とする請求項１〜８のいずれか１項に記載の枕。
【発明の詳細な説明】
【技術分野】
【０００１】
本発明は、寝具としての枕に関し、特に支持体が枕内に介在してなる枕に関する。
【背景技術】
【０００２】
昨今の健康志向の高まりに相応して寝具で重要な地位を占める枕への関心が非常に高まっている。その中において、様々な形状・素材・サイズの枕を販売しているが、個々人の頭や頸椎に適した枕が少ないのが現状である。
【０００３】
また、枕で一番重要なポイントは寝姿勢の安定化、すなわち自然な寝姿勢が確保できるような構造にすることは明らかである。そして、自然な寝姿勢とは人間が立った姿勢をそのまま寝姿勢にすることと考えられており、敷き布団等の寝具と身体の頭との隙間を埋めるのが枕の最も重要な役割と考えられている。そのような寝姿勢の場合は、腰骨や肩甲骨のように身体背面で突出している骨格部分によって身体の大部分が支えられているので、この身体背面が布団と接している部分を延長した線を基準線を目安にして枕の高さを選択することが重要となる。そして、背中が突出している人は高い枕を好む傾向が強く、背中が平坦であったり、腰部分が突出している人は低い枕を好む傾向に強いとされており、そういった各人の好みも選択の重要なポイントである。
【０００４】
そういった状況のもとで、一般に製造されている枕としては、枕内部に仕切を設けて区画し、各区画内に適量の充填物を収納することにより、各人の高さに適した枕あるいは各人の好みに合わせた枕を選択することが可能な枕が知られている。
【発明の開示】
【発明が解決しようとする課題】
【０００５】
しかしながら、枕はその内部が区画されていたとしても、内包されている充填物が身体の頭の加重に対して逃げるように周辺に移動するため、使用中に枕の高さが低くなる。しかも、安定感に乏しい枕であると就寝中は身体の頭が始終動くことになり、内包されている充填物が掘り下げられるように移動して枕の高さが極端に低くなってしまうことになる。その高さの変化を防止するために充填物の移動を止めるとすれば、仕切を増やして区画領域をできる限り小さくしなければならず、そうするとごわごわした感じや段差がある感じがするので、かえって寝心地の悪い枕となってしまう。
【０００６】
そこで、本発明は、安定感を高めて枕の高さの変化が極端に低くくならないように構成することにより、使用中でも寝心地の良さが維持できる枕を開発した。
【課題を解決するための手段】
【０００７】
本発明に係る枕は、枕内部の充填材と枕表皮との間に介在する１又は複数の支持体を備え、該支持体内に充填物を収納してなることを特徴とするものである。このように構成すると、支持体に身体の頭部が支持されて安定する。しかも、枕内部の充填材が移動しても、充填物が収納された支持体が常に身体の頭部に位置する。なお、本明細書において充填材及び充填物は、そば殻、パイプ、ビーズ、ポリエステルチップ等の粒状物の他、気体、液体、ゼリー状などの流体やウレタンフォームなどの発泡体など通常の枕やクッション体などに使用される充填材料であればどのような材質のものでもよく、便宜上、枕内部の中袋に収納される充填材料を充填材と称し、支持体に収納される充填材料を充填物と称する。
【０００８】
上記の１又は複数の支持体のいずれか又は全てを縦線により複数の区画に分割し、各区画内に充填物を収納するようにしてもよい。このように構成すると、支持体が縦線の位置において左右に折れて身体の頭部を左右から支持する。
【０００９】
また、上記の１又は複数の支持体のいずれか又は全てを横線により複数の区画に分割し、各区画内に充填物を収納するようにしてもよい。このように構成すると、支持体が横線の位置において上下に折れて身体の頭部を上下から支持する。
【００１０】
さらに、１又は複数の支持体のいずれか又は全てを縦線と該縦線に直交する横線とにより複数の区画に分割し、各区画内に充填物を収納するようにしてもよい。このように構成すると、支持体が縦線と横線の位置において上下左右に折れて身体の頭部を上下左右から支持する。
【００１１】
上記の各構成に加え、枕内部に、複数の中袋を収納し、該中袋内に充填材を収納するようにしてもよい。このように構成すると、枕内部の充填材の量を中袋ごとに加減することができる。
【００１２】
また、上記の各構成に加え、枕内部に、区画された中袋を収納し、該中袋内に充填材を収納するようにしてもよい。このように構成すると、枕内部の充填材の量を中袋に形成した区画ごとに加減することができる。
【００１３】
さらにまた、上記の各構成に加え、中袋を、枕下部に位置する横長の頸椎載置用中袋部と、頸椎載置用中袋部の上方に位置する頭部載置用中袋部とから構成してもよい。このように構成すると、横長の頸椎載置用中袋部が身体の頭部と背中との間のくびれである身体の首の下部の隙間を埋め、頸椎載置用中袋部とその上方に位置する頭部載置用中袋部とがそれぞれ身体の首部と頭部とを受け止める。
【００１４】
また、上記の各構成に加え、頭部載置用中袋部を複数に区画してもよい。このように構成すると、頭部載置用中袋部の中央部を低くし、左右両側部を高くするなどの調節ができる。
【００１５】
また、枕内部の充填材の量を調節するための計量カップを付加しておくと、枕の使用者が、該計量カップを使用して枕内部の充填材の量を随時調節することができる。
【発明の効果】
【００１６】
本発明に係る枕は、枕内部の充填材と枕表皮との間に介在する１又は複数の支持体を備え、該支持体内に充填物を収納してなるため、使用中に枕の高さが低くなるために寝心地が悪くなるといった従来の欠点を解消できる。
【００１７】
上記の１又は複数の支持体のいずれか又は全てを縦線により複数の区画に分割し、各区画内に充填物を収納するように構成したり、上記の１又は複数の支持体のいずれか又は全てを横線により複数の区画に分割し、各区画内に充填物を収納するように構成すると、枕に対する身体頭部の安定性を向上させる。
【００１８】
さらに、１又は複数の支持体のいずれか又は全てを縦線と該縦線に直交する横線とにより複数の区画に分割し、各区画内に充填物を収納するように構成すると、枕に対する身体頭部の安定性をより一層向上させる。
【００１９】
上記の各構成に加え、枕内部に、複数の中袋を収納し、該中袋内に充填材を収納するように構成したり、枕内部に、区画された中袋を収納し、該中袋内に充填材を収納するように構成すると、各人の好みにあった枕を構成することができる。
【００２０】
さらにまた、上記の各構成に加え、中袋を、枕下部に位置する横長の頸椎載置用中袋部と、頸椎載置用中袋部の上方に位置する頭部載置用中袋部とから構成すると、寝心地の良い枕を構成することができる。
【００２１】
また、上記の各構成に加え、頭部載置用中袋部を複数に区画すると、さらに各人の好みにあった枕を構成することができる。
【００２２】
また、枕内部の充填材の量を調節するための計量カップを付加しておくと、自分の好みにあった枕を極めて容易に構成することができるようになる。
【発明を実施するための最良の形態】
【００２３】
以下に、本発明に係る好適な実施例を図面に基づいて詳細に説明する。図１〜図５に示す実施例１は最適な枕Ａの実施例であり、図２に示す実施例２は枕に付加する最適な計量カップＢの実施例である。
【実施例１】
【００２４】
図１は本実施例に係る枕の内容物を示す概略斜視図であり、図２は枕の使用状態を示す概略斜視図であり、図３は枕の支持体を示す斜視図であり、図４は枕の横断面を示す模式図であり、図５は枕の縦断面を示す模式図である。
【００２５】
本実施例に係る枕Ａは、枕内部に収納され、充填材１１を収納した中袋１０と、該中袋１０を被包する枕表皮２０と、該中袋１０と枕表皮２０との間に介在する支持体３０とから構成される。該支持体３０は、図１及び図２に示されるように、枕Ａのやや下方側の位置に配され、該支持体３０内には充填物３１が収納されている。なお、支持体３０は、場合によっては、上方側に設けたり、あるいは上下２箇所設けてもよい。また、製造上、分離した支持体を隣接するように設けてもよい。なお、支持体３０は、枕表皮が洗濯可能なように中袋１０に縫着したり、また、着脱自在に取り付けるようにしてもよく、また、中袋を構成せず枕表皮に充填材を直に詰める場合などには支持体を枕表皮に着脱自在に取り付けるようにしてもよい。さらに、支持体内部の充填物を出し入れ可能に構成して詰め替えができるようにしてもよい。
【００２６】
前記支持体３０は、図３に示されるように、縦中央の縦線ａと該縦線ａに直交する横線ｂとにより４区画に分割されており、左上、左下、右上、右下の各区画ｐ、ｑ、ｒ、ｓ内にはそれぞれ充填物３１が収納されている。縦中央の縦線ａにより左上＋左下の区画ｐ、ｑと右上＋右下の区画ｒ、ｓとの２区画に分割された支持体３１は、図４に示されるように、縦線ａの位置において左右に折れるため、身体の頭部を左右から支持することができるので、枕に対する身体頭部の安定性を向上させる。また、横線ｂにより左上＋右上の区画ｐ、ｒと左下＋右下の区画ｑ、ｓとの２区画に分割された支持体３１は、図５に示されるように、横線ｂの位置において上下に折れるため、身体の頭部を上下から支持することができるので、枕に対する身体頭部の安定性を向上させる。したがって、縦中央の縦線ａと該縦線ａに直交する横線ｂとにより４区画ｐ、ｑ、ｒ、ｓに分割された支持体３１は、縦線ａと横線ｂの位置において上下左右に折れるため、身体の頭部を上下左右から支持することができるので、枕に対する身体頭部の安定性をより一層向上させる。なお、上記の縦線及び横線の配置これに限られるものではなく、縦線のみや横線のみを配置してもよく、また、縦線及び横線を複数配置してもよい。
【００２７】
以上のように、支持体３１に身体の頭部が支持されて安定し、寝心地が良くなるので身体の頭を移動することが少なくなる。仮に身体の頭が動いても、支持体３１が枕内部の充填材１１を収納した中袋１０と枕表皮２０との間に介在しているために、該充填材１１が掘り下げられるようなことにはならず、枕Ａの高さが低くならない。しかも、枕内部の充填材１１が移動しても、充填物３１が収納された支持体３０が常に身体の頭部の下方に位置することになるので、枕Ａの高さが極端に低くなることを防止することができる。したがって、使用中に枕Ａの高さが低くなるために寝心地が悪くなるといった従来の欠点を解消できる。
【００２８】
枕内部に収納され、内部に充填材１１が収納されている中袋１０は、図１及び図２に示されるように、複数に区画されている。すなわち、枕下部に位置する横長の頸椎載置用中袋部１５と、頸椎載置用中袋部１５の上方に位置する頭部載置用中袋部１６とに区画されている。このように構成すると、横長の頸椎載置用中袋部１５が身体の頭部と背中との間のくびれである身体の首の下部の隙間を埋めることとなって安定し、頸椎載置用中袋部１５とその上方に位置する頭部載置用中袋部１６とがそれぞれ身体の首部と頭部とを受け止めることができるので寝心地の良い枕を構成することができる。さらに、該頭部載置用中袋部１６は、中央部１７と左右両側部１８とに区画されている。そして、中央部１７の充填材１１の量を左右両側部の充填材１１の量より少な目にすることにより、該中央部１７の高さが左右両側部１８より低くなるように構成している。このようにように構成すると、頭部載置用中袋部１６の中央部１７を低くし、左右両側部１８を高くするなどの調節ができるので、さらに各人の好みにあった枕を構成することができる。このように、枕内部の充填材１１の量を、中袋１０に形成した区画１５、１６、１７、１８ごとに加減することができるので、枕の高さを部分単位で調節することができるので、各人の好みにあった枕を構成することができる。なお、中袋の区画方法は上記のものに限られないこというまでもない。また、枕内部に、複数の中袋を収納し、該中袋内に充填材を収納するように構成してもよく、その場合は、枕内部の充填材の量を中袋ごとに加減することができるので、枕の高さを部分単位で調節することができるので、各人の好みにあった枕を構成することができる。
【００２９】
なお、上記実施例における枕においては、枕内部の充填材上面と枕表皮との間に支持体を介在させているので、その支持体を設けた側を上面にして使用すれば比較的しっかりと身体の頭部がホールドされ、その枕を裏返して使用すれば、ホールド感が軽減されるので、好みや状況によって使い分けることが可能となる。また、枕内部の充填材上面だけではなく下面と枕表皮との間に支持体を介在させて、両面とも同じように使用できるようにしてもよい。
【実施例２】
【００３０】
図６は本実施例に係る計量カップの斜視図である。
【００３１】
本実施例に係る計量カップＢは、図６に示されるように、枕内部に充填される粒状物、例えば、そば殻、パイプ、ビーズ、ポリエステルチップ等の粒状物の種類に応じて目盛りＭが表示されており、軽量カップＢに表示される目盛りＭの位置までの粒状物の量が枕の高さ１ｃｍに相当するように設計したものである。なお、目盛りは粒状物の種類、あるいは粒状物を収納している枕内部の中袋の容積によって複数設けている。したがって、該計量カップＢにより枕内部の粒状物の量を調節することが可能となる。なお、計量カップは、折り畳み式の紙製のものが嵩張らず、また、便利である。
【００３２】
この計量カップＢを枕に付加して販売すれば、枕の使用者が、該計量カップＢを使用して枕内部の粒状物の量を随時調節することができるため、自分の好みにあった枕を容易に構成することができるようになるので、便利である。
【図面の簡単な説明】
【００３３】
【図１】本発明の実施例１に係る枕の内容物を示す概略斜視図である。
【図２】本発明の実施例１に係る枕の使用状態を示す概略斜視図である。
【図３】本発明の実施例１に係る枕の支持体を示す斜視図である。
【図４】本発明の実施例１に係る枕の横断面を示す模式図である。
【図５】本発明の実施例１に係る枕の縦断面を示す模式図である。
【図６】本発明の実施例２に係る計量カップの斜視図である。
【符号の説明】
【００３４】
Ａ・・・枕
１０・・中袋
１１・・充填材
２０・・枕表皮
３０・・支持体
３１・・充填物
ａ・・・縦線
ｂ・・・横線
ｐ・・・左上の区画
ｑ・・・左下の区画
ｒ・・・右上の区画
ｓ・・・右下の区画
１５・・頸椎載置用中袋部
１６・・頭部載置用中袋部
１７・・中央部
１８・・左右両側部
Ｂ・・・計量カップ
Ｍ・・目盛り
【図１】
2005137598.tif 000003
【図２】
2005137598.tif 000004
【図３】
2005137598.tif 000005
【図４】
2005137598.tif 000006
【図５】
2005137598.tif 000007
【図６】
2005137598.tif 000008